(57)【要約】【課題】ロケーションに限られずに薬液バッグに封入された薬液を安定的に投与することで、点滴等の輸液行為を容易なものとすることができる輸液装置を提供すること。【解決手段】内部に薬液が封入され、かつ先端部に異なる外径部位が連続して形成された接続部２２が設けられたチューブ２１が先端部を外部に露出する態様で封止された薬液バッグ２０に適用され、装置本体１０と、薬液バッグ２０より吐出された薬液を導入し、かつ予め設定された流量にて薬液を供給するチューブポンプ３０とを備え、装置本体１０は、接続部２２の大径部位２２１の一部が進入することを許容し、かつ大径部位２２１が接続部２２の中心軸方向に沿って移動することを規制する規制凹部を有し、規制凹部に大径部位２２１の一部が進入した状態で蓋体１２が本体部１１の開口１１ａを閉塞することで薬液バッグ２０を保持するものである。【選択図】図１
2013165757.tif 000002
【特許請求の範囲】
【請求項１】
内部に薬液が封入され、かつ先端部に異なる外径部位が連続することで外周面に段差が形成された接続部が設けられたチューブ体が該先端部を外部に露出する態様で封止された薬液バッグに適用され、
上面に開口が形成された本体部と、この本体部の開口を開閉する蓋体とにより構成される装置本体と、
前記装置本体の内部に配設されるとともに、前記薬液バッグより吐出された薬液を導入し、かつ予め設定された流量にて薬液を供給する輸液量調整手段と
を備えた輸液装置であって、
前記装置本体は、
前記接続部のうち外径が最大となる最大外径部位の一部が進入することを許容し、かつ該最大外径部位が該接続部の中心軸方向に沿って移動することを規制する規制凹部を有し、前記規制凹部に前記最大外径部位の一部が進入した状態で前記蓋体が前記本体部の開口を閉塞することで前記薬液バッグを保持することを特徴とする輸液装置。
【請求項２】
前記装置本体は、前記本体部の開口縁部の一部に形成された溝部と前記蓋体の縁部の一部に形成された溝部とで構成され、かつ前記チューブ体が貫通することを許容する貫通孔部を有し、前記規制凹部に前記最大外径部位の一部が進入した状態で前記蓋体が前記本体部の開口を閉塞する場合に、前記チューブ体が前記貫通孔部を貫通する状態で該蓋体の縁部と該本体部の縁部とで前記薬液バッグの前記チューブ体の封止部位を挟み込むように保持することを特徴とする請求項１に記載の輸液装置。
【請求項３】
前記輸液量調整手段は、薬液導入管を通じて前記薬液バッグより吐出された薬液を導入し、かつ予め設定された流量にて薬液供給管を通じて薬液を供給するチューブポンプにより構成されることを特徴とする請求項１又は請求項２に記載の輸液装置。
【請求項４】
前記輸液量調整手段は、
前記薬液バッグに付与する圧力を検出する圧力検出手段と、
前記圧力検出手段の検出結果に応じて薬液供給経路の流路断面積を変化させることで前記薬液バッグから吐出された薬液の流量を調整する流量調整手段と
を備えたことを特徴とする請求項１又は請求項２に記載の輸液装置。
【発明の詳細な説明】
【技術分野】
【０００１】
本発明は、輸液装置に関し、より詳細には、例えば各種医療において点滴等に用いられる薬液を投与するための輸液装置に関するものである。
【背景技術】
【０００２】
従来、例えば各種医療における点滴等に用いられる輸液装置として、ポンプ部と異常検出部とが装置本体に設けられて成るものが知られている。ポンプ部は、薬液が封入された薬液バッグから患者まで繋がるチューブ等の薬液供給経路の途中に設けられており、駆動することにより所定量の薬液を薬液バッグから吸引して患者に投与するものである。異常検出部は、薬液の投与量過多、あるいは投与量不足等の異常を検出するもので、異常を検出すると異常信号を発するものである。
【０００３】
このような輸液装置においては、ポンプ部が駆動して所定量の薬液を患者に投与することで、安定的な点滴等の輸液行為が可能である（例えば、特許文献１参照）。
【先行技術文献】
【特許文献】
【０００４】
【特許文献１】特開２０１０−５１７２１号公報
【発明の概要】
【発明が解決しようとする課題】
【０００５】
ところで、上述したような特許文献１に提案されている輸液装置では、薬液バッグを保持する構成を有していないため、医療現場においては薬液バッグを吊した状態で保持するためのスタンド等を必要としていた。
【０００６】
しかしながら、例えば災害現場等の救急医療現場においては、足場が安定したロケーションであるとは限られない。そのため、足場の悪い救急医療現場においては、スタンドを用いて薬液バッグを保持することは困難であり、医療行為者が薬液バッグを保持するか、保持することが不可能であれば足場が安定したロケーションまで患者を搬送せざるを得ず、点滴等の輸液行為が煩雑なものになっていた。
【０００７】
また、このような救急医療現場に限られず、病院等の施設内における医療現場においても、薬液バッグを保持するためにスタンドを用いることは、かかるスタンドのためのスペースを必要とするばかりか、スタンドの数量によっては患者が利用するベッドの配置等も制限してしまうことになり好ましいものではない。
【０００８】
本発明は、上記実情に鑑みて、ロケーションに限られずに薬液バッグに封入された薬液を安定的に投与することで、点滴等の輸液行為を容易なものとすることができる輸液装置を提供することを目的とする。
【課題を解決するための手段】
【０００９】
上記目的を達成するために、本発明の請求項１に係る輸液装置は、内部に薬液が封入され、かつ先端部に異なる外径部位が連続することで外周面に段差が形成された接続部が設けられたチューブ体が該先端部を外部に露出する態様で封止された薬液バッグに適用され、上面に開口が形成された本体部と、この本体部の開口を開閉する蓋体とにより構成される装置本体と、前記装置本体の内部に配設されるとともに、前記薬液バッグより吐出された薬液を導入し、かつ予め設定された流量にて薬液を供給する輸液量調整手段とを備えた輸液装置であって、前記装置本体は、前記接続部のうち外径が最大となる最大外径部位の一部が進入することを許容し、かつ該最大外径部位が該接続部の中心軸方向に沿って移動することを規制する規制凹部を有し、前記規制凹部に前記最大外径部位の一部が進入した状態で前記蓋体が前記本体部の開口を閉塞することで前記薬液バッグを保持することを特徴とする。
【００１０】
また、本発明の請求項２に係る輸液装置は、上述した請求項１において、前記装置本体は、前記本体部の開口縁部の一部に形成された溝部と前記蓋体の縁部の一部に形成された溝部とで構成され、かつ前記チューブ体が貫通することを許容する貫通孔部を有し、前記規制凹部に前記最大外径部位の一部が進入した状態で前記蓋体が前記本体部の開口を閉塞する場合に、前記チューブ体が前記貫通孔部を貫通する状態で該蓋体の縁部と該本体部の縁部とで前記薬液バッグの前記チューブ体の封止部位を挟み込むように保持することを特徴とする。
【００１１】
また、本発明の請求項３に係る輸液装置は、上述した請求項１又は請求項２において、前記輸液量調整手段は、薬液導入管を通じて前記薬液バッグより吐出された薬液を導入し、かつ予め設定された流量にて薬液供給管を通じて薬液を供給するチューブポンプにより構成されることを特徴とする。
【００１２】
また、本発明の請求項４に係る輸液装置は、上述した請求項１又は請求項２において、前記輸液量調整手段は、前記薬液バッグに付与する圧力を検出する圧力検出手段と、前記圧力検出手段の検出結果に応じて薬液供給経路の流路断面積を変化させることで前記薬液バッグから吐出された薬液の流量を調整する流量調整手段とを備えたことを特徴とする。
【発明の効果】
【００１３】
本発明によれば、装置本体が、接続部のうち外径が最大となる最大外径部位の一部が進入することを許容し、かつ該最大外径部位が該接続部の中心軸方向に沿って移動することを規制する規制凹部を有し、規制凹部に最大外径部位の一部が進入した状態で蓋体が本体部の開口を閉塞することで薬液バッグを保持するので、薬液バッグが前後方向、左右方向及び上下方向に移動することを規制することができる。これにより、従来の輸液装置のように薬液バッグを保持するためのスタンド等を必要とせず、災害現場等の救急医療現場をはじめ様々なロケーションで用いることができる。しかも装置本体の内部に配設される輸液量調整手段が、薬液バッグより吐出された薬液を導入し、かつ予め設定された流量にて薬液を供給するので、所定の流量にて薬液を供給して薬液を投与することができる。従って、ロケーションに限られずに薬液バッグに封入された薬液を安定的に投与することで、点滴等の輸液行為を容易なものとすることができるという効果を奏する。
【図面の簡単な説明】
【００１４】
【図１】図１は、本発明の実施の形態１である輸液装置を示す斜視図である。
【図２】図２は、図１に示したチューブポンプを拡大して示す平面図である。
【図３】図３は、図１に示した輸液装置を構成する装置本体を示す斜視図である。
【図４】図４は、本体部の開口を蓋体により閉成した場合において、チューブの中心軸を含む垂直面により切断した状態を前方側から示す縦断面図である。
【図５】図５は、本体部の開口を蓋体により閉成した場合において、チューブよりも前方側の垂直面により切断した状態を前方側から示す縦断面図である。
【図６】図６は、本発明の実施の形態１である輸液装置の変形例を示す斜視図である。
【図７】図７は、本発明の実施の形態２である輸液装置を示す斜視図である。
【図８】図８は、図７に示した輸液装置の特徴的な制御系を模式的に示すブロック図である。
【図９】図９は、本発明の実施の形態３である輸液装置を示す斜視図である。
【図１０】図１０は、図９に示した輸液装置を構成する装置本体を示す斜視図である。
【発明を実施するための形態】
【００１５】
以下に添付図面を参照して、本発明に係る輸液装置の好適な実施の形態について詳細に説明する。
【００１６】
＜実施の形態１＞
図１は、本発明の実施の形態１である輸液装置を示す斜視図である。ここで例示する輸液装置は、装置本体１０と、薬液バッグ２０と、チューブポンプ３０とを備えて構成してある。
【００１７】
装置本体１０は、例えば硬質プラスチック等の樹脂材料やアルミニウム等の金属性材料から形成されるもので、本体部１１と蓋体１２とを備えて成るものである。
【００１８】
本体部１１は、上面に開口１１ａが形成された箱状の形態を成している。蓋体１２は、本体部１１の後面の上縁部にヒンジ１２１を介して連結されており、開閉移動することで本体部１１の開口１１ａを開閉するものである。この蓋体１２の上面には、液晶表示部１２２（図４及び図５参照）が設けられている。尚、本実施の形態１においては、液晶表示部１２２は、蓋体１２の上面に設けられていたが、本発明においてはどこに設けられていても構わない。このような装置本体１０の詳細については後述する。
【００１９】
薬液バッグ２０は、内部に薬液（輸液）が封入された変形可能な容器である。この薬液バッグ２０の先端部２０ａには、硬質な樹脂材料から形成されるチューブ２１が先端部が外部に露出する態様で封止されている。つまり、薬液バッグ２０の先端部２０ａは、チューブ２１の封止部位となる。このチューブ２１の先端部には、異なる２つの外径部位が連続することで外周面に段差が形成された接続部２２が設けられている。この接続部２２のうち外径が最大となる部位を大径部位（最大外径部位）２２１と称し、その他の部位を小径部位２２２と称する。かかる薬液バッグ２０は、図には明示しないが、空気圧により加圧する加圧装置に加圧された状態でセットされているものとする。
【００２０】
チューブポンプ３０は、装置本体１０の内部に配設されており、より詳細には、本体部１１の載置面１１１に載置された状態で配設されている。このチューブポンプ３０は、装置本体１０の内部に設けられた図示しない制御部から与えられる指令により駆動するものである。また、チューブポンプ３０は、図２に示すように、導入側に薬液バッグ２０の接続部２２に接続された薬液導入管３１が接続されており、供給側に薬液供給管３２が接続されている。薬液供給管３２は、装置本体１０における本体部１１の前面上縁部に形成された切欠部１１２を貫通する態様で設けられており、その先端部には、図には明示しないが、静脈針等が設けられた濾過管が接続されている。尚、本実施の形態１においては、切欠部１１２は、本体部１１の前面上縁部に形成されていたが、本発明においては切欠部は前面上縁部に限られず、側面上縁部（すなわち、左面上縁部若しくは右面上縁部）に設けられていても構わない。
【００２１】
このようなチューブポンプ３０は、駆動することにより、薬液導入管３１を通じて薬液バッグ２０より吐出された薬液を導入し、かつ制御部により設定された流量にて薬液供給管３２を通じて薬液を供給する輸液量調整手段である。
【００２２】
図３は、図１に示した輸液装置を構成する装置本体を示す斜視図である。このような装置本体１０においては、貫通孔部１３が形成されているとともに保持部１４が設けられている。貫通孔部１３は、本体部１１の左側面上縁部に形成された本体側溝部１３１と、蓋体１２の左側面下縁部に形成された蓋側溝部１３２とにより構成されており、上記薬液バッグ２０のチューブ２１が貫通することを許容する大きさを有している。
【００２３】
保持部１４は、装置本体１０を構成する本体部１１に設けられた略直方状のものである。より詳細には、保持部１４は、本体部１１の載置面１１１を切り欠いた部分に進入するように設けてあり、その上端部が本体部１１の上端部よりも上方に突出する態様で設けてある。この保持部１４の左右方向の長さは、薬液バッグ２０の接続部２２の大径部位２２１の中心軸方向の長さと略同じである。このような保持部１４には、上方に開口するＵ字状溝部１４１が設けられている。このＵ字状溝部１４１の底部１４１ａは、載置面１１１よりも下方に位置しており、大径部位２２１の一部が進入することを許容している。尚、図３中の符号１５は、操作入力を行うための操作スイッチであり、符号１６は、外部電源との接続に用いられる電源接続部である。
【００２４】
このような装置本体１０に対して、加圧装置にセットされた薬液バッグ２０と薬液導入管３１で接続されたチューブポンプ３０を本体部１１の載置面１１１に載置するとともに、薬液バッグ２０のチューブ２１を本体側溝部１３１に進入させ、かつ接続部２２の大径部位２２１をＵ字状溝部１４１に進入させて大径部位２２１の周面の一部をＵ字状溝部１４１の底部１４１ａに載置させる。このとき、薬液バッグ２０に接続された薬液供給管３２は、切欠部１１２を貫通するようにしておく。
【００２５】
そして、蓋体１２を閉移動させて本体部１１の開口１１ａを閉成することで、図４及び図５に示すように輸液装置が形成される。この際、蓋体１２の蓋側溝部１３２が本体側溝部１３１と貫通孔部１３を構成してチューブ２１の貫通を許容し、更に蓋体１２の左側下縁部１２３と本体部１１の左側上縁部１１３とで薬液バッグ２０の先端部（封止部位）２０ａを挟み込んで該薬液バッグ２０を保持する。
【００２６】
ここで、Ｕ字状溝部１４１を構成する保持部１４は、左右方向の長さが接続部２２の大径部位２２１の中心軸方向の長さに略等しく、しかもＵ字状溝部１４１の底部１４１ａは載置面１１１よりも低いことから、大径部位２２１の一部がＵ字状溝部１４１の底部１４１ａに載置された接続部２２は、中心軸方向の移動が規制される。これにより、薬液バッグ２０は、接続部２２の中心軸方向、すなわち左右方向及び前後方向に沿っての移動が規制され、更に先端部（封止部位）２０ａが本体部１１の縁部（左側上縁部１１３）と蓋体１２の縁部（左側下縁部１２３）とに挟み込まれることで上下方向に沿っての移動も規制される。つまり、Ｕ字状溝部１４１のうち載置面１１１よりも低い部分は、接続部２２のうち外径が最大となる最大外径部位の一部が進入することを許容し、かつ該最大外径部位が該接続部２２の中心軸方向に沿って移動することを規制する規制凹部を構成している。
【００２７】
そして、輸液装置は、次のようにして薬液バッグ２０に封入された薬液を投与することができる。前提として、制御部によりチューブポンプ３０による流量が予め設定されているものとし、更に図には明示しないプライミングボタンが押下操作されることにより、薬液導入管３１、チューブポンプ３０及び薬液供給管３２の薬液の流路内部を薬液で満たすようにしておく。
【００２８】
操作者により操作スイッチ１５が操作されると、チューブポンプ３０が駆動して、薬液導入管３１を通じて薬液バッグ２０より吐出された薬液を導入し、かつ制御部により設定された流量にて薬液供給管３２を通じて薬液を供給することで薬液を投与することができる。
【００２９】
以上説明したように、本実施の形態１である輸液装置によれば、装置本体１０が、接続部２２のうち大径部位２２１の一部が進入することを許容し、かつ該大径部位２２１が接続部２２の中心軸方向に沿って移動することを規制する規制凹部と、本体部１１の開口１１ａ縁部の一部に形成された溝部と蓋体１２の縁部の一部に形成された溝部とで構成された貫通孔部１３とを有し、規制凹部に大径部位２２１の一部が進入した状態で蓋体１２が本体部１１の開口１１ａを閉塞する場合に、チューブ２１が貫通孔部１３を貫通する状態で該蓋体１２の縁部と該本体部１１の縁部とで薬液バッグ２０の先端部（封止部位）２０ａを挟み込むように保持するので、薬液バッグ２０が前後方向、左右方向及び上下方向に移動することを規制することができる。これにより、従来の輸液装置のように薬液バッグを保持するためのスタンド等を必要とせず、災害現場等の救急医療現場をはじめ様々なロケーションで用いることができる。しかも装置本体１０の内部に配設されるチューブポンプ３０が、薬液導入管３１を通じて薬液バッグ２０より吐出された薬液を導入し、かつ予め設定された流量にて薬液供給管３２を通じて薬液を供給するので、所定の流量にて薬液を供給して薬液を投与することができる。従って、ロケーションに限られずに薬液バッグ２０に封入された薬液を安定的に投与することで、点滴等の輸液行為を容易なものとすることができる。
【００３０】
以上、本発明の好適な実施の形態１について説明したが、本発明はこれに限定されるものではなく、次のように変更を行うことができる。
【００３１】
上述した実施の形態１においては、蓋体１２の縁部と本体部１１の縁部とで薬液バッグ２０の先端部（封止部位）２０ａを挟み込むように保持していたが、本発明においては、図６に示すように、薬液バッグ２０を装置本体１０′の内部に収納するような構成を採用しても良い。この場合においても、本体部１１′には保持部１４が設けられており、かかる保持部１４には、底部（図示せず）が載置面１１１よりも下方に位置するＵ字状溝部１４１が形成されている。そして、かかるＵ字状溝部１４１の底部に接続部２２の一部を進入させることで、薬液バッグ２０が左右方向に移動することを規制することができ、更に装置本体１０′に収納することで前後方向や上下方向に移動することも規制することができる。
【００３２】
このような構成によっても、ロケーションに限られずに薬液バッグ２０に封入された薬液を安定的に投与することで、点滴等の輸液行為を容易なものとすることができる。
【００３３】
＜実施の形態２＞
図７は、本発明の実施の形態２である輸液装置を示す斜視図である。尚、上述した実施の形態１である輸液装置と同一の構成を有するものには同一の符号を付して説明する。ここで例示する輸液装置は、薬液バッグ２０と、装置本体１００とを備えて構成してある。
【００３４】
薬液バッグ２０は、内部に薬液（輸液）が封入された変形可能な容器である。この薬液バッグ２０の先端部（封止部位）２０ａには、硬質な樹脂材料から形成されるチューブ２１が先端部が外部に露出する態様で封止されている。つまり、薬液バッグ２０の先端部（封止部位）２０ａは、チューブ２１の封止部位となる。このチューブ２１の先端部には、異なる２つの外径部位が連続することで外周面に段差が形成された接続部２２が設けられている。この接続部２２のうち外径が最大となる部位を大径部位２２１（最大外径部位）と称し、その他の部位を小径部位２２２と称する。かかる薬液バッグ２０は、図には明示しないが、空気圧により加圧する加圧装置に加圧された状態でセットされているものとする。
【００３５】
装置本体１００は、例えば硬質プラスチック等の樹脂材料やアルミニウム等の金属性材料から形成されるもので、本体部１１０と蓋体１２０とを備えて成るものである。
【００３６】
本体部１１０は、上面に開口１１０ａが形成された箱状の形態を成している。蓋体１２０は、本体部１１０の後面の上縁部にヒンジ１２１を介して連結されており、開閉移動することで本体部１１０の開口１１０ａを開閉するものである。この蓋体１２０の上面には、図には明示しないが、液晶表示部等が設けられている。尚、本実施の形態２においては、液晶表示部は、蓋体１２０の上面に設けられていたが、本発明においてはどこに設けられていても構わない。
【００３７】
上記装置本体１００においては、貫通孔部１３が形成されているとともに保持部１４が設けられている。貫通孔部１３は、本体部１１０の左側面上縁部に形成された本体側溝部（図示せず）と、蓋体１２０の左側面下縁部に形成された蓋側溝部１３２とにより構成されており、上記薬液バッグ２０のチューブ２１が貫通することを許容する大きさを有している。
【００３８】
保持部１４は、装置本体１００を構成する本体部１１０に設けられた略直方状のものである。より詳細には、保持部１４は、本体部１１０の載置面１１１を切り欠いた部分に進入するように設けてあり、その上端部が本体部１１０の上端部よりも上方に突出する態様で設けてある。この保持部１４の左右方向の長さは、薬液バッグ２０の接続部２２の大径部位２２１の中心軸方向の長さと略同じである。このような保持部１４には、上方に開口するＵ字状溝部１４１が設けられている。このＵ字状溝部１４１の底部（図示せず）は、載置面１１１よりも下方に位置しており、大径部位２２１の一部が進入することを許容している。尚、図７中の符号１５は、操作入力を行うための操作スイッチであり、符号１６は、外部電源との接続に用いられる電源接続部である。
【００３９】
図８は、図７に示した輸液装置の特徴的な制御系を模式的に示すブロック図である。この図８に示すように、輸液装置は、上記構成の他、圧力検出センサＳ、バルブ５０及び制御部６０を備えている。
【００４０】
圧力検出センサＳは、薬液バッグ２０を加圧する加圧装置の内部に配設されている。この圧力検出センサＳは、加圧装置が薬液バッグ２０に付与する圧力（加圧力）を検出する圧力検出手段であり、検出した圧力は圧力信号として制御部６０に与えられる。
【００４１】
バルブ５０は、本体部１１０に配設されており、薬液バッグ２０の接続部２２に接続された薬液管（薬液供給経路）３３を挟み込む態様で設けられている。ここで薬液管３３は、軟質な樹脂材料から形成されており、その先端部には、図には明示しないが、静脈針等が設けられた濾過管が接続されることで薬液供給管を構成している。
【００４２】
このバルブ５０は、制御部６０からの指令に従って駆動して、薬液管３３の挟み込む力を変化させることで薬液の流路の断面積を変化させる流量調整手段である。このバルブ５０は、初期の状態では、薬液管３３を薬液が通過することを規制するよう該薬液管３３を挟み込んで締め付けている。
【００４３】
制御部６０は、本体部１１０に収納されており、より詳細には、本体部１１０における載置面１１１よりも下方域に収納されている。この制御部６０は、メモリ６１に予め記憶されたプログラムやデータに従って、バルブ５０の駆動を制御するとともに、必要な情報を液晶表示部に表示させるものである。また、メモリ６１には、流量制御情報が記憶されている。流量制御情報は、圧力検出センサＳにより検出される圧力、すなわち加圧装置が薬液バッグ２０に付与する圧力と、薬液の流量との関係が予め実験等により関連付けられたものである。
【００４４】
以上のような構成を有する輸液装置においては、加圧装置にセットされた薬液バッグ２０の接続部２２に薬液管３３を接続した後、薬液管３３をバルブ５０に挟み込まれるようにして薬液バッグ２０を装置本体１００に載置する。より詳細には、薬液バッグ２０のチューブ２１を本体側溝部１３１に進入させ、かつ接続部２２の大径部位２２１をＵ字状溝部１４１に進入させて大径部位２２１の周面の一部をＵ字状溝部１４１の底部に載置させる。このとき、薬液バッグ２０に接続された薬液管３３は、切欠部１１２を貫通するようにしておく。
【００４５】
そして、蓋体１２０を閉移動させて本体部１１０の開口１１０ａを閉成することで輸液装置が形成される。この際、蓋体１２０の蓋側溝部１３２が本体側溝部と貫通孔部１３を構成してチューブ２１の貫通を許容し、更に蓋体１２０の左側下縁部１２３と本体部１１０の左側上縁部（図示せず）とで薬液バッグ２０の先端部（封止部位）２０ａを挟み込んで該薬液バッグ２０を保持する。
【００４６】
ここで、Ｕ字状溝部１４１を構成する保持部１４は、左右方向の長さが接続部２２の大径部位２２１の中心軸方向の長さに略等しく、しかもＵ字状溝部１４１の底部は載置面１１１よりも低いことから、大径部位２２１の一部がＵ字状溝部１４１の底部に載置された接続部２２は、中心軸方向の移動が規制される。これにより、薬液バッグ２０は、接続部２２の中心軸方向、すなわち左右方向及び前後方向に沿っての移動が規制され、更に先端部（封止部位）２０ａが本体部１１０の縁部（左側上縁部）と蓋体１２０の縁部（左側下縁部１２３）とに挟み込まれることで上下方向に沿っての移動も規制される。つまり、Ｕ字状溝部１４１のうち載置面１１１よりも低い部分は、接続部２２のうち外径が最大となる最大外径部位の一部が進入することを許容し、かつ該最大外径部位が該接続部２２の中心軸方向に沿って移動することを規制する規制凹部を構成している。
【００４７】
そして、輸液装置は、次のようにして薬液バッグ２０に封入された薬液を投与することができる。前提として、制御部６０により流量が予め設定されているものとし、更に図には明示しないプライミングボタンが押下操作されることにより、バルブ５０の挟み込み力を適宜調整して薬液管３３の内部を薬液で満たすようにしておく。
【００４８】
操作者により操作スイッチ１５が操作されると、制御部６０は、図示せぬアクチュエータを駆動させてバルブ５０の挟み込み力を低減させて薬液が薬液管３３を通過することを許容する。そして、制御部６０は、圧力検出センサＳから与えられる圧力と、メモリ６１に予め記憶された流量制御情報とにより点滴量（輸液量）を計測し、計測した点滴量が投与速度に関する指令に含まれる輸液量の許容範囲にあれば、バルブ５０の挟み込み力を維持し、点滴量が上記許容範囲の上限値を超える場合には、アクチュエータを駆動させてバルブ５０の挟み込み力を増大させて薬液管３３の断面積を変化させて通過する薬液の流量を低減させる。その一方、点滴量が上記許容範囲の下限値を下回る場合には、アクチュエータを駆動させてバルブ５０の挟み込み力を低減させて薬液管３３の断面積を変化させて通過する薬液の流量を増大させる。このようにして薬液バッグ２０に封入された薬液を予め設定された流量にて供給することで薬液を投与することができる。
【００４９】
以上説明したように、本実施の形態２である輸液装置によれば、装置本体１００が、接続部２２のうち大径部位２２１の一部が進入することを許容し、かつ該大径部位２２１が接続部２２の中心軸方向に沿って移動することを規制する規制凹部と、本体部１１０の開口縁部の一部に形成された溝部と蓋体１２０の縁部の一部に形成された溝部１３２とで構成された貫通孔部１３とを有し、規制凹部に大径部位２２１の一部が進入した状態で蓋体１２０が本体部１１０の開口１１０ａを閉塞する場合に、チューブ２１が貫通孔部１３を貫通する状態で該蓋体１２０の縁部と該本体部１１０の縁部とで薬液バッグ２０の先端部（封止部位）２０ａを挟み込むように保持するので、薬液バッグ２０が前後方向、左右方向及び上下方向に移動することを規制することができる。これにより、従来の輸液装置のように薬液バッグを保持するためのスタンド等を必要とせず、災害現場等の救急医療現場をはじめ様々なロケーションで用いることができる。しかも操作スイッチ１５が操作されることで所定の流量にて薬液を投与することができる。従って、ロケーションに限られずに薬液バッグ２０に封入された薬液を安定的に投与することで、点滴等の輸液行為を容易なものとすることができる。
【００５０】
また、上記輸液装置によれば、圧力検出センサＳの検出結果に応じてバルブ５０を駆動させるので、輸液行為に要する電力量の低減化を図ることができ、しかもチューブポンプのようなものを必要としないので、装置全体の小型化を図ることができる。
【００５１】
＜実施の形態３＞
図９は、本発明の実施の形態３である輸液装置を示す斜視図である。尚、上述した実施の形態１及び実施の形態２である輸液装置と同一の構成を有するものには同一の符号を付して説明する。ここで例示する輸液装置は、装置本体１０１と、薬液バッグ７０と、チューブポンプ３０とを備えて構成してある。
【００５２】
装置本体１０１は、例えば硬質プラスチック等の樹脂材料やアルミニウム等の金属性材料から形成されるもので、本体部１１０′と蓋体１２０′とを備えて成るものである。
【００５３】
本体部１１０′は、上面に開口１１０ａが形成された箱状の形態を成している。蓋体１２０′は、本体部１１０′の後面の上縁部にヒンジ１２１を介して連結されており、開閉移動することで本体部１１０′の開口１１０ａを開閉するものである。この蓋体１２０′の上面には、液晶表示部（図示せず）が設けられている。尚、本実施の形態３においては、液晶表示部は、蓋体１２０′の上面に設けられていたが、本発明においてはどこに設けられていても構わない。このような装置本体１０１の詳細については後述する。
【００５４】
薬液バッグ７０は、内部に薬液（輸液）が封入された硬質な容器である。この薬液バッグ７０には、硬質な樹脂材料から形成されるチューブ７１が先端部が外部に露出する態様で取り付けられている。このチューブ７１の先端部には、異なる２つの外径部位が連続することで外周面に段差が形成された接続部２２が設けられている。この接続部２２のうち外径が最大となる部位を大径部位（最大外径部位）２２１と称し、その他の部位を小径部位２２２と称する。
【００５５】
チューブポンプ３０は、装置本体１０１の内部に配設されており、より詳細には、本体部１１０′の載置面１１１に載置された状態で配設されている。このチューブポンプ３０は、装置本体１０１の内部に設けられた図示しない制御部から与えられる指令により駆動するものである。また、チューブポンプ３０は、導入側に薬液バッグ７０の接続部２２に接続された薬液導入管３１が接続されており、供給側に薬液供給管３２が接続されている。薬液供給管３２は、装置本体１０１における本体部１１０′の前面上縁部に形成された切欠部１１２を貫通する態様で設けられており、その先端部には、図には明示しないが、静脈針等が設けられた濾過管が接続されている。尚、本実施の形態３においては、切欠部１１２は、本体部１１０′の前面上縁部に形成されていたが、本発明においては切欠部は前面上縁部に限られず、側面上縁部（すなわち、左面上縁部若しくは右面上縁部）に設けられていても構わない。
【００５６】
このようなチューブポンプ３０は、駆動することにより、薬液導入管３１を通じて薬液バッグ７０より吐出された薬液を導入し、かつ制御部により設定された流量にて薬液供給管３２を通じて薬液を供給する輸液量調整手段である。
【００５７】
図１０は、図９に示した輸液装置を構成する装置本体を示す斜視図である。このような装置本体１０１においては、貫通孔部１３０が形成されているとともに保持部１４が設けられている。貫通孔部１３０は、本体部１１０′の左側面上縁部に形成された本体側溝部１３３と、蓋体１２０′の左側面下縁部に形成された蓋側溝部１３４とにより構成されている。ここで、本体側溝部１３３及び蓋側溝部１３４の内壁面は、摩擦抵抗を増大させるような部材（以下、摩擦部材ともいう）により覆われている。
【００５８】
このような貫通孔部１３０は、上記薬液バッグ７０のチューブ７１が貫通することを許容するとともに、本体側溝部１３３及び蓋側溝部１３４の内壁面を覆う摩擦部材により貫通するチューブ７１が貫通孔部１３０の中心軸方向、すなわち左右方向に移動することを規制している。
【００５９】
保持部１４は、装置本体１０１を構成する本体部１１０′に設けられた略直方状のものである。より詳細には、保持部１４は、本体部１１０′の載置面１１１を切り欠いた部分に進入するように設けてあり、その上端部が本体部１１０′の上端部よりも上方に突出する態様で設けてある。この保持部１４の左右方向の長さは、薬液バッグ７０の接続部２２の大径部位２２１の中心軸方向の長さと略同じである。このような保持部１４には、上方に開口するＵ字状溝部１４１が設けられている。このＵ字状溝部１４１の底部１４１ａは、載置面１１１よりも下方に位置しており、大径部位２２１の一部が進入することを許容している。尚、図９及び図１０中の符号１５は、操作入力を行うための操作スイッチであり、符号１６は、外部電源との接続に用いられる電源接続部である。
【００６０】
このような装置本体１０１に対して、薬液バッグ７０と薬液導入管３１で接続されたチューブポンプ３０を本体部１１０′の載置面１１１に載置するとともに、薬液バッグ７０のチューブ７１を本体側溝部１３３に進入させ、かつ接続部２２の大径部位２２１をＵ字状溝部１４１に進入させて大径部位２２１の周面の一部をＵ字状溝部１４１の底部１４１ａに載置させる。このとき、薬液バッグ７０に接続された薬液供給管３２は、切欠部１１２を貫通するようにしておく。
【００６１】
そして、蓋体１２０′を閉移動させて本体部１１０′の開口１１０ａを閉成することで輸液装置が形成される。この際、蓋体１２０′の蓋側溝部１３４が本体側溝部１３３と貫通孔部１３０を構成してチューブ７１の貫通を許容しながら当該チューブ７１を挟み込むことで該薬液バッグ７０を保持する。
【００６２】
ここで、Ｕ字状溝部１４１を構成する保持部１４は、左右方向の長さが接続部２２の大径部位２２１の中心軸方向の長さに略等しく、しかもＵ字状溝部１４１の底部１４１ａは載置面１１１よりも低いことから、大径部位２２１の一部がＵ字状溝部１４１の底部１４１ａに載置された接続部２２は、中心軸方向の移動が規制される。これにより、薬液バッグ７０は、接続部２２の中心軸方向、すなわち左右方向及び前後方向に沿っての移動が規制され、更に貫通孔部１３０を貫通するチューブ７１が本体部１１０′と蓋体１２０′とに挟み込まれることで上下方向に沿っての移動も規制される。つまり、Ｕ字状溝部１４１のうち載置面１１１よりも低い部分は、接続部２２のうち外径が最大となる最大外径部位の一部が進入することを許容し、かつ該最大外径部位が該接続部２２の中心軸方向に沿って移動することを規制する規制凹部を構成している。
【００６３】
そして、輸液装置は、次のようにして薬液バッグ７０に封入された薬液を投与することができる。前提として、制御部によりチューブポンプ３０による流量が予め設定されているものとし、更に図には明示しないプライミングボタンが押下操作されることにより、薬液導入管３１、チューブポンプ３０及び薬液供給管３２の薬液の流路内部を薬液で満たすようにしておく。
【００６４】
操作者により操作スイッチ１５が操作されると、チューブポンプ３０が駆動して、薬液導入管３１を通じて薬液バッグ７０より吐出された薬液を導入し、かつ制御部により設定された流量にて薬液供給管３２を通じて薬液を供給することで薬液を投与することができる。
【００６５】
以上説明したように、本実施の形態３である輸液装置によれば、装置本体１０１が、接続部２２のうち大径部位２２１の一部が進入することを許容し、かつ該大径部位２２１が接続部２２の中心軸方向に沿って移動することを規制する規制凹部と、本体部１１０′の開口１１０ａ縁部の一部に形成された溝部と蓋体１２０′の縁部の一部に形成された溝部とで構成された貫通孔部１３０とを有し、規制凹部に大径部位２２１の一部が進入した状態で蓋体１２０′が本体部１１０′の開口１１０ａを閉塞する場合に、チューブ７１が貫通孔部１３０を貫通する状態で該蓋体１２０′の縁部と該本体部１１０′の縁部とで薬液バッグ７０のチューブ７１を挟み込むように保持するので、薬液バッグ７０が前後方向、左右方向及び上下方向に移動することを規制することができる。これにより、従来の輸液装置のように薬液バッグを保持するためのスタンド等を必要とせず、災害現場等の救急医療現場をはじめ様々なロケーションで用いることができる。しかも装置本体１０１の内部に配設されるチューブポンプ３０が、薬液導入管３１を通じて薬液バッグ７０より吐出された薬液を導入し、かつ予め設定された流量にて薬液供給管３２を通じて薬液を供給するので、所定の流量にて薬液を供給して薬液を投与することができる。従って、ロケーションに限られずに薬液バッグ７０に封入された薬液を安定的に投与することで、点滴等の輸液行為を容易なものとすることができる。
【００６６】
以上、本発明の好適な実施の形態１〜３について説明したが、本発明はこれらに限定されるものではなく、種々の変更を行うことができる。
【００６７】
上述した実施の形態１及び２では、加圧装置は、空気圧により薬液バッグ２０を加圧するものであったが、本発明においては、バネ等の復元力により薬液バッグを加圧する加圧装置を適用しても良い。その際、加圧装置としては電力等を要しないものが好ましい。これにより加圧装置に対する電力を省略することができ、輸液装置全体に電力使用量の低減化を図ることができ、電池等を用いる場合には使用寿命を長大化することができる。
【００６８】
上述した実施の形態１及び２では、薬液バッグ２０が加圧装置にセットされていたが、本発明においては、加圧装置は輸液装置の構成要素で本体部に一体的に設けられたものであっても構わない。
【００６９】
上述した実施の形態１〜３では、保持部１４にＵ字状溝部１４１が形成されていたが、本発明においては、Ｕ字状の溝部に限られず、様々な形態の溝部により規制凹部を構成するようにしても良い。
【産業上の利用可能性】
【００７０】
以上のように、本発明に係る輸液装置は、例えば各種医療における点滴等に有用である。
【符号の説明】
【００７１】
１０  装置本体
１１  本体部
１１ａ  開口
１１１  載置面
１１２  切欠部
１１３  左側上縁部
１２  蓋体
１２１  ヒンジ
１２３  左側下縁部
１３  貫通孔部
１３１  本体側溝部
１３２  蓋側溝部
１４  保持部
１４１  Ｕ字状溝部
１４１ａ  底部
２０  薬液バッグ
２０ａ  先端部
２１  チューブ
２２  接続部
２２１  大径部位
２２２  小径部位
３０  チューブポンプ
３１  薬液導入管
３２  薬液供給管
【図１】
2013165757.tif 000003
【図２】
2013165757.tif 000004
【図３】
2013165757.tif 000005
【図４】
2013165757.tif 000006
【図５】
2013165757.tif 000007
【図６】
2013165757.tif 000008
【図７】
2013165757.tif 000009
【図８】
2013165757.tif 000010
【図９】
2013165757.tif 000011
【図１０】
2013165757.tif 000012